【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
移動通信端末と、前記移動通信端末に情報を提供するサーバとを含む情報提供システムであって、
前記サーバは、
前記移動通信端末の位置に関する情報を含む、前記移動通信端末の基本情報を取得する情報取得部と、
前記基本情報に基づいて、前記移動通信端末の移動先を推定する移動先推定部と、
前記移動先推定部によって推定された移動先についての地域情報を検索する地域情報検索部と、
前記地域情報検索部の検索結果を前記移動通信端末に送信する送信部とを含む、情報提供システム。
【請求項２】
前記情報取得部は、前記基本情報として、さらに、前記移動通信端末の移動速度または移動方向のうちの少なくとも一方についての情報を取得する、請求項１に記載の情報提供システム。
【請求項３】
前記移動先推定部は、前記移動通信端末の位置の周辺の地理的情報を取得する地理的情報取得部を備え、前記基本情報を前記周辺の地理的情報に対応させることにより前記移動通信端末の移動先を推定する、請求項１または請求項２に記載の情報提供システム。
【請求項４】
前記移動先推定部は、前記移動通信端末の位置の周辺の公共交通機関の情報を取得する交通情報取得部と、前記基本情報を前記周辺の公共交通機関の情報に対応させることにより前記移動通信端末の移動に用いられていると推定される交通機関を決定する交通機関推定部とを備え、前記推定される交通機関の進路に基づいて前記移動通信端末の移動先を推定する、請求項１または請求項２に記載の情報提供システム。
【請求項５】
前記移動先推定部は、前記移動通信端末の位置の周辺の公共交通機関の情報を取得する交通情報取得部と、前記基本情報を前記周辺の公共交通機関の情報に対応させることにより前記移動通信端末を所有する者がこれからの移動に用いると推定される交通機関を決定する交通機関推定部とを備え、前記推定される交通機関の進路に基づいて前記移動通信端末の移動先を推定する、請求項１または請求項２に記載の情報提供システム。
【請求項６】
前記地域情報検索部は、前記移動通信端末の位置と前記推定された移動先との間にある地域である中間地域についての地域情報を検索し、
前記送信部は、前記中間地域についての地域情報を前記移動通信端末に送信する、請求項１〜請求項５のいずれか１項に記載の情報提供システム。
【請求項７】
前記移動通信端末を含む移動体の現在位置から、予め入力された目的地までの経路を示すナビゲーション装置をさらに含み、
前記情報取得部は、前記ナビゲーション装置が示した経路を取得可能であり、
前記中間地域は、前記経路上の地域を含む、請求項６に記載の情報提供システム。
【請求項８】
移動通信端末に情報を提供する情報提供装置であって、
前記移動通信端末の位置に関する情報を含む、前記移動通信端末の基本情報を取得する情報取得部と、
前記基本情報に基づいて、前記移動通信端末の移動先を推定する移動先推定部と、
前記移動先推定部によって推定された移動先についての地域情報を検索する地域情報検索部と、
前記地域情報検索部の検索結果を前記移動通信端末に送信する送信部とを含む、情報提供装置。
【請求項９】
前記情報取得部は、前記基本情報として、さらに、前記移動通信端末の移動速度または移動方向のうちの少なくとも一方についての情報を取得する、請求項８に記載の情報提供装置。
【請求項１０】
前記移動先推定部は、前記移動通信端末の位置の周辺の地理的情報を取得する地理的情報取得部を備え、前記基本情報を前記周辺の地理的情報に対応させることにより前記移動通信端末の移動先を推定する、請求項８または請求項９に記載の情報提供装置。
【請求項１１】
前記移動先推定部は、前記移動通信端末の位置の周辺の公共交通機関の情報を取得する交通情報取得部と、前記基本情報を前記周辺の公共交通機関の情報に対応させることにより前記移動通信端末の移動に用いられていると推定される交通機関を決定する交通機関推定部とを備え、前記推定される交通機関の進路に基づいて前記移動通信端末の移動先を推定する、請求項８または請求項９に記載の情報提供装置。
【請求項１２】
前記移動先推定部は、前記移動通信端末の位置の周辺の公共交通機関の情報を取得する交通情報取得部と、前記基本情報を前記周辺の公共交通機関の情報に対応させることにより前記移動通信端末を所有する者がこれからの移動に用いると推定される交通機関を決定する交通機関推定部とを備え、前記推定される交通機関の進路に基づいて前記移動通信端末の移動先を推定する、請求項８または請求項９に記載の情報提供装置。
【請求項１３】
前記地域情報検索部は、前記移動通信端末の位置と前記推定された移動先との間にある地域である中間地域についての地域情報を検索し、
前記送信部は、前記中間地域についての地域情報を前記移動通信端末に送信する、請求項８〜請求項１２のいずれか１項に記載の情報提供装置。
【請求項１４】
前記情報取得部は、所定のナビゲーション装置が示した、前記移動通信端末を含む移動体の現在位置から予め入力された目的地までの経路を取得可能であり、
前記中間地域は、前記経路上の地域を含む、請求項１３に記載の情報提供装置。
【請求項１５】
移動通信端末に情報を提供する方法であって、
前記移動通信端末の位置に関する情報を含む、前記移動通信端末の基本情報を取得するステップと、
前記基本情報に基づいて、前記移動通信端末の移動先を推定するステップと、
前記推定された移動先についての地域情報を検索するステップと、
前記検索するステップにおける検索結果を前記移動通信端末に送信するステップとを含む、情報提供方法。
【請求項１６】
請求項１に記載の情報提供システムに含まれる移動通信端末であって、
前記移動通信端末の位置に関する情報を検出する検出装置と、
前記移動通信端末の位置に関する情報を含む基本情報をサーバに送信する送信部と、
前記サーバから送信される地域情報の検索結果を受信する受信部とを備えていることを特徴とする、移動通信端末。
【手続補正２】
【補正対象書類名】明細書
【補正対象項目名】０００９
【補正方法】変更
【補正の内容】
【０００９】
また、本発明の情報提供システムでは、前記情報取得部は、前記基本情報として、さらに、前記移動通信端末の移動速度または移動方向のうちの少なくとも一方についての情報を取得することが好ましい。
【手続補正３】
【補正対象書類名】明細書
【補正対象項目名】００１７
【補正方法】変更
【補正の内容】
【００１７】
また、本発明の情報提供装置では、前記情報取得部は、前記基本情報として、さらに、前記移動通信端末の移動速度または移動方向のうちの少なくとも一方についての情報を取得することが好ましい。
【手続補正４】
【補正対象書類名】明細書
【補正対象項目名】００２４
【補正方法】変更
【補正の内容】
【００２４】
これにより、移動通信端末のユーザが移動している場合、つまり、ユーザが情報を得ようとして操作した時点と情報が与えられた時点で当該ユーザの存在位置が大きく変化しているような場合であっても、当該ユーザに対し有用な情報を提供できる。
本発明の別の局面に従った移動通信端末は、上記したような本発明の情報提供システムに含まれる移動通信端末であって、前記移動通信端末の位置に関する情報を検出する検出装置と、前記移動通信端末の位置に関する情報を含む基本情報をサーバに送信する送信部と、前記サーバから送信される地域情報の検索結果を受信する受信部とを備えていることを特徴とする。